(57)【特許請求の範囲】
【請求項１】
太陽光発電を行う太陽光モジュールストリングスと、
前記太陽光モジュールストリングスから供給される電力を蓄電する蓄電池アレイと、
前記太陽光モジュールストリングス又は前記蓄電池アレイからの電力を電力系統に供給するパワーコンディショナと、
前記太陽光モジュールストリングスから前記パワーコンディショナ又は前記蓄電池アレイへの接続の切り替え、及び前記蓄電池アレイからパワーコンディショナへの接続の切り替えを行う制御手段と、
前記太陽光モジュールストリングスの出力電圧を検出する電圧検出手段と、
前記蓄電池アレイの蓄電容量を検出する蓄電容量検出手段と
を備えた太陽光発電設備であって、
前記太陽光モジュールストリングスとして、少なくとも第１太陽光モジュールストリングスと第２太陽光モジュールストリングスとを有し、
前記蓄電池アレイとして、少なくとも第１蓄電池アレイと第２蓄電池アレイとを有し、
前記制御手段では、
前記蓄電容量検出手段によって前記第２蓄電池アレイが所定容量未満であることを検出し、前記電圧検出手段によって所定電圧以上の電圧を検出している間は、
前記第１太陽光モジュールストリングスを前記パワーコンディショナに接続し、
前記第２太陽光モジュールストリングスを前記第２蓄電池アレイに接続する
ことを特徴とする太陽光発電設備。
【請求項２】
前記制御手段では、
前記蓄電容量検出手段によって前記第１蓄電池アレイが前記所定容量以上であることを検出し、前記電圧検出手段によって所定時間内に前記所定電圧未満の電圧を所定回数検出した場合には、
前記第１太陽光モジュールストリングスを前記パワーコンディショナから切断し、
前記第１蓄電池アレイを前記パワーコンディショナに接続する
ことを特徴とする請求項１に記載の太陽光発電設備。
【請求項３】
前記制御手段では、
前記電圧検出手段によって前記所定時間内に前記所定電圧未満の電圧を前記所定回数検出する状態が継続しており、
前記蓄電容量検出手段によって前記第１蓄電池アレイが前記所定容量未満であり、前記第２蓄電池アレイが前記所定容量以上であることを検出した場合には、
前記第２太陽光モジュールストリングスを前記第２蓄電池アレイから切断し、
前記第１蓄電池アレイを前記パワーコンディショナから切断し、
前記第２蓄電池アレイを前記パワーコンディショナに接続する
ことを特徴とする請求項２に記載の太陽光発電設備。
【請求項４】
前記制御手段では、
前記電圧検出手段によって前記所定時間内に前記所定電圧未満の電圧を前記所定回数検出する状態が継続しており、
前記蓄電容量検出手段によって前記第１蓄電池アレイが前記所定容量未満であり、前記第２蓄電池アレイが前記所定容量以上であることを検出した場合には、
前記第１太陽光モジュールストリングスを前記第１蓄電池アレイに接続する
ことを特徴とする請求項３に記載の太陽光発電設備。
【請求項５】
前記制御手段では、
前記電圧検出手段によって前記所定時間内に前記所定電圧未満の電圧を前記所定回数検出する状態が継続しており、
前記蓄電容量検出手段によって前記第１蓄電池アレイ及び前記第２蓄電池アレイが前記所定容量未満であることを検出した場合には、
前記第２蓄電池アレイを前記パワーコンディショナから切断し、
前記第１太陽光モジュールストリングス及び前記第２太陽光モジュールストリングスを前記パワーコンディショナに接続する
ことを特徴とする請求項３又は請求項４に記載の太陽光発電設備。
【請求項６】
前記制御手段では、
前記蓄電容量検出手段によって前記第１蓄電池アレイ及び前記第２蓄電池アレイが前記所定容量未満であることを検出し、前記電圧検出手段によって前記所定電圧以上の電圧を検出している間は、
前記第１太陽光モジュールストリングスを前記第１蓄電池アレイに接続し、
前記第２太陽光モジュールストリングスを前記パワーコンディショナに接続する
ことを特徴とする請求項１に記載の太陽光発電設備。
【請求項７】
前記制御手段では、
前記蓄電容量検出手段によって前記第１蓄電池アレイが前記所定容量以上であり、前記第２蓄電池アレイが前記所定容量未満であることを検出し、前記電圧検出手段によって前記所定電圧以上の電圧を検出している間は、
前記第１太陽光モジュールストリングスを前記パワーコンディショナに接続し、
前記第２太陽光モジュールストリングスを前記第２蓄電池アレイに接続する
ことを特徴とする請求項６に記載の太陽光発電設備。
【請求項８】
前記蓄電池アレイから前記パワーコンディショナに接続する放電開始時刻を設定するタイマー手段を備え、
前記制御手段では、
前記タイマー手段で設定した放電開始時刻になり、前記蓄電容量検出手段によって前記第１蓄電池アレイ又は前記第２蓄電池アレイが前記所定容量以上であることを検出した場合には、
前記第１蓄電池アレイ及び前記第２蓄電池アレイを前記パワーコンディショナに接続する
ことを特徴とする請求項１から請求項７のいずれか１項に記載の太陽光発電設備。
【発明の詳細な説明】
【技術分野】
【０００１】
本発明は、日中発電による電力供給を行いながら余剰電力を蓄電できる太陽光発電設備に関する。
【背景技術】
【０００２】
特許文献１は、蓄電池、自動充放電装置、昇圧及び降圧回路を取り付けたパワーコンディショナへ継続的に安定電力を供給する系統連系用蓄電システムを提案している。
【先行技術文献】
【特許文献】
【０００３】
【特許文献１】特開２０１５−２１１６３０号公報
【発明の概要】
【発明が解決しようとする課題】
【０００４】
特許文献１によれば、太陽光パネルより発生した電力を日中系統へ電力を送りながら余剰電力を蓄電し、日没後蓄電池に充電された電力をパワーコンディショナへ供給することが可能となる。【０００５】
本発明は、更に具体的な、日射条件が良好な日中に電力を供給しながら蓄電を行うことができる太陽光発電設備を提供することを目的とする。
【課題を解決するための手段】
【０００６】
請求項１記載の本発明の太陽光発電設備は、太陽光発電を行う太陽光モジュールストリングスと、前記太陽光モジュールストリングスから供給される電力を蓄電する蓄電池アレイと、前記太陽光モジュールストリングス又は前記蓄電池アレイからの電力を電力系統に供給するパワーコンディショナと、前記太陽光モジュールストリングスから前記パワーコンディショナ又は前記蓄電池アレイへの接続の切り替え、及び前記蓄電池アレイからパワーコンディショナへの接続の切り替えを行う制御手段と、前記太陽光モジュールストリングスの出力電圧を検出する電圧検出手段と、前記蓄電池アレイの蓄電容量を検出する蓄電容量検出手段とを備えた太陽光発電設備であって、前記太陽光モジュールストリングスとして、少なくとも第１太陽光モジュールストリングスと第２太陽光モジュールストリングスとを有し、前記蓄電池アレイとして、少なくとも第１蓄電池アレイと第２蓄電池アレイとを有し、前記制御手段では、前記蓄電容量検出手段によって前記第２蓄電池アレイが所定容量未満であることを検出し、前記電圧検出手段によって所定電圧以上の電圧を検出している間は、前記第１太陽光モジュールストリングスを前記パワーコンディショナに接続し、前記第２太陽光モジュールストリングスを前記第２蓄電池アレイに接続することを特徴とする。
請求項２記載の本発明は、請求項１に記載の太陽光発電設備において、前記制御手段では、前記蓄電容量検出手段によって前記第１蓄電池アレイが前記所定容量以上であることを検出し、前記電圧検出手段によって所定時間内に前記所定電圧未満の電圧を所定回数検出した場合には、前記第１太陽光モジュールストリングスを前記パワーコンディショナから切断し、前記第１蓄電池アレイを前記パワーコンディショナに接続することを特徴とする。
請求項３記載の本発明は、請求項２に記載の太陽光発電設備において、前記制御手段では、前記電圧検出手段によって前記所定時間内に前記所定電圧未満の電圧を前記所定回数検出する状態が継続しており、前記蓄電容量検出手段によって前記第１蓄電池アレイが前記所定容量未満であり、前記第２蓄電池アレイが前記所定容量以上であることを検出した場合には、前記第２太陽光モジュールストリングスを前記第２蓄電池アレイから切断し、前記第１蓄電池アレイを前記パワーコンディショナから切断し、前記第２蓄電池アレイを前記パワーコンディショナに接続することを特徴とする。
請求項４記載の本発明は、請求項３に記載の太陽光発電設備において、前記制御手段では、前記電圧検出手段によって前記所定時間内に前記所定電圧未満の電圧を前記所定回数検出する状態が継続しており、前記蓄電容量検出手段によって前記第１蓄電池アレイが前記所定容量未満であり、前記第２蓄電池アレイが前記所定容量以上であることを検出した場合には、前記第１太陽光モジュールストリングスを前記第１蓄電池アレイに接続することを特徴とする。
請求項５記載の本発明は、請求項３又は請求項４に記載の太陽光発電設備において、前記制御手段では、前記電圧検出手段によって前記所定時間内に前記所定電圧未満の電圧を前記所定回数検出する状態が継続しており、前記蓄電容量検出手段によって前記第１蓄電池アレイ及び前記第２蓄電池アレイが前記所定容量未満であることを検出した場合には、前記第２蓄電池アレイを前記パワーコンディショナから切断し、前記第１太陽光モジュールストリングス及び前記第２太陽光モジュールストリングスを前記パワーコンディショナに接続することを特徴とする。
請求項６記載の本発明は、請求項１に記載の太陽光発電設備において、前記制御手段では、前記蓄電容量検出手段によって前記第１蓄電池アレイ及び前記第２蓄電池アレイが前記所定容量未満であることを検出し、前記電圧検出手段によって前記所定電圧以上の電圧を検出している間は、前記第１太陽光モジュールストリングスを前記第１蓄電池アレイに接続し、前記第２太陽光モジュールストリングスを前記パワーコンディショナに接続することを特徴とする。
請求項７記載の本発明は、請求項６に記載の太陽光発電設備において、前記制御手段では、前記蓄電容量検出手段によって前記第１蓄電池アレイが前記所定容量以上であり、前記第２蓄電池アレイが前記所定容量未満であることを検出し、前記電圧検出手段によって前記所定電圧以上の電圧を検出している間は、前記第１太陽光モジュールストリングスを前記パワーコンディショナに接続し、前記第２太陽光モジュールストリングスを前記第２蓄電池アレイに接続することを特徴とする。
請求項８記載の本発明は、請求項１から請求項７のいずれか１項に記載の太陽光発電設備において、前記蓄電池アレイから前記パワーコンディショナに接続する放電開始時刻を設定するタイマー手段を備え、前記制御手段では、前記タイマー手段で設定した放電開始時刻になり、前記蓄電容量検出手段によって前記第１蓄電池アレイ又は前記第２蓄電池アレイが前記所定容量以上であることを検出した場合には、前記第１蓄電池アレイ及び前記第２蓄電池アレイを前記パワーコンディショナに接続することを特徴とする。
【発明の効果】
【０００７】
本発明の太陽光発電設備によれば、蓄電容量検出手段によって第２蓄電池アレイが所定容量未満であることを検出し、電圧検出手段によって所定電圧以上の電圧を検出している間は、第１太陽光モジュールストリングスをパワーコンディショナに接続し、第２太陽光モジュールストリングスを第２蓄電池アレイに接続することで、日射条件が良好な日中に電力を供給しながら蓄電を行うことができる。
【図面の簡単な説明】
【０００８】
【図１】本発明の一実施例による太陽光発電設備を機能実現手段で現したブロック図であり、日中の日射条件が良好な状態を示すブロック図
【図２】図１に示す状態において、日中の日射変動が大きくなり、又は日射不良な状態を示すブロック図
【図３】図２に示す状態が更に継続して第１蓄電池アレイが放電してしまった状態を示すブロック図
【図４】図３に示す状態が更に継続して第１蓄電池アレイ及び第２蓄電池アレイが放電してしまった状態を示すブロック図
【図５】図４に示す状態において、日射条件が良好な状態に戻った場合を示すブロック図
【図６】夜間における電力供給を示すブロック図
【図７】本実施例による太陽光発電設備の制御を示すフローチャート
【発明を実施するための形態】
【０００９】
本発明の第１の実施の形態による太陽光発電設備は、太陽光モジュールストリングスとして、少なくとも第１太陽光モジュールストリングスと第２太陽光モジュールストリングスとを有し、蓄電池アレイとして、少なくとも第１蓄電池アレイと第２蓄電池アレイとを有し、制御手段では、蓄電容量検出手段によって第２蓄電池アレイが所定容量未満であることを検出し、電圧検出手段によって所定電圧以上の電圧を検出している間は、第１太陽光モジュールストリングスをパワーコンディショナに接続し、第２太陽光モジュールストリングスを第２蓄電池アレイに接続するものである。本実施の形態によれば、日射条件が良好な日中に電力を供給しながら蓄電を行うことができる。
【００１０】
本発明の第２の実施の形態は、第１の実施の形態による太陽光発電設備において、制御手段では、蓄電容量検出手段によって第１蓄電池アレイが所定容量以上であることを検出し、電圧検出手段によって所定時間内に所定電圧未満の電圧を所定回数検出した場合には、第１太陽光モジュールストリングスをパワーコンディショナから切断し、第１蓄電池アレイをパワーコンディショナに接続するものである。本実施の形態によれば、日射変動が大きいか又は日射不良な日中では、蓄電を利用して電力を供給することで、電圧変動の無い安定した電力を供給することができる。
【００１１】
本発明の第３の実施の形態は、第２の実施の形態による太陽光発電設備において、制御手段では、電圧検出手段によって所定時間内に所定電圧未満の電圧を所定回数検出する状態が継続しており、蓄電容量検出手段によって第１蓄電池アレイが所定容量未満であり、第２蓄電池アレイが所定容量以上であることを検出した場合には、第２太陽光モジュールストリングスを第２蓄電池アレイから切断し、第１蓄電池アレイをパワーコンディショナから切断し、第２蓄電池アレイをパワーコンディショナに接続するものである。本実施の形態によれば、日射変動が長時間継続する場合であっても、蓄電を利用して電力を供給することで、電圧変動の無い安定した電力を供給できる。
【００１２】
本発明の第４の実施の形態は、第３の実施の形態による太陽光発電設備において、制御手段では、電圧検出手段によって所定時間内に所定電圧未満の電圧を所定回数検出する状態が継続しており、蓄電容量検出手段によって第１蓄電池アレイが所定容量未満であり、第２蓄電池アレイが所定容量以上であることを検出した場合には、第１太陽光モジュールストリングスを第１蓄電池アレイに接続するものである。本実施の形態によれば、日射変動が大きな日中であっても、蓄電に利用することで、発電を有効に利用できる。
【００１３】
本発明の第５の実施の形態は、第３又は第４の実施の形態による太陽光発電設備において、制御手段では、電圧検出手段によって所定時間内に所定電圧未満の電圧を所定回数検出する状態が継続しており、蓄電容量検出手段によって第１蓄電池アレイ及び第２蓄電池アレイが所定容量未満であることを検出した場合には、第２蓄電池アレイをパワーコンディショナから切断し、第１太陽光モジュールストリングス及び第２太陽光モジュールストリングスをパワーコンディショナに接続するものである。本実施の形態によれば、日射変動が長時間継続して蓄電による安定した電力が供給できない場合であっても、第１太陽光モジュールストリングス及び第２太陽光モジュールストリングスをパワーコンディショナに接続することで、電力供給を継続できる。
【００１４】
本発明の第６の実施の形態は、第１の実施の形態による太陽光発電設備において、制御手段では、蓄電容量検出手段によって第１蓄電池アレイ及び第２蓄電池アレイが所定容量未満であることを検出し、電圧検出手段によって所定電圧以上の電圧を検出している間は、第１太陽光モジュールストリングスを第１蓄電池アレイに接続し、第２太陽光モジュールストリングスをパワーコンディショナに接続するものである。本実施の形態によれば、日射条件が良好な日中に電力を供給しながら蓄電を行うことができる。
【００１５】
本発明の第７の実施の形態は、第６の実施の形態による太陽光発電設備において、制御手段では、蓄電容量検出手段によって第１蓄電池アレイが所定容量以上であり、第２蓄電池アレイが所定容量未満であることを検出し、電圧検出手段によって所定電圧以上の電圧を検出している間は、第１太陽光モジュールストリングスをパワーコンディショナに接続し、第２太陽光モジュールストリングスを第２蓄電池アレイに接続するものである。本実施の形態によれば、日射条件が良好な日中に電力を供給しながら蓄電を行うことができる。
【００１６】
本発明の第８の実施の形態は、第１から第７のいずれかの実施の形態による太陽光発電設備において、蓄電池アレイからパワーコンディショナに接続する放電開始時刻を設定するタイマー手段を備え、制御手段では、タイマー手段で設定した放電開始時刻になり、蓄電容量検出手段によって第１蓄電池アレイ又は第２蓄電池アレイが所定容量以上であることを検出した場合には、第１蓄電池アレイ及び第２蓄電池アレイをパワーコンディショナに接続するものである。本実施の形態によれば、発電が行えない夜間の時間帯をタイマーで指定して蓄電された電力を供給することができる。
【実施例】
【００１７】
以下本発明の一実施例による太陽光発電設備について説明する。
図１から図６は本実施例による太陽光発電設備を機能実現手段で現したブロック図である。【００１８】
図１は、日中の日射条件が良好な状態を示すブロック図である。
本実施例による太陽光発電設備は、太陽光発電を行う太陽光モジュールストリングス１０と、太陽光モジュールストリングス１０から供給される電力を蓄電する蓄電池アレイ２０と、太陽光モジュールストリングス１０又は蓄電池アレイ２０からの電力を電力系統７０に供給するパワーコンディショナ３０と、太陽光モジュールストリングス１０からパワーコンディショナ３０又は蓄電池アレイ２０への接続の切り替え、及び蓄電池アレイ２０からパワーコンディショナ３０への接続の切り替えを行う制御手段４０とを備えている。
また、本実施例による太陽光発電設備は、太陽光モジュールストリングス１０の出力電圧を検出する電圧検出手段５０と、蓄電池アレイ２０の蓄電容量を検出する蓄電容量検出手段６０とを備えている。
パワーコンディショナ３０で変換された電力は、電力系統７０に供給される。【００１９】
本実施例による太陽光発電設備は、太陽光モジュールストリングス１０として、少なくとも第１太陽光モジュールストリングス１１と第２太陽光モジュールストリングス１２とを有し、蓄電池アレイ２０として、少なくとも第１蓄電池アレイ２１と第２蓄電池アレイ２２とを有している。
第１電圧検出手段５１は、第１太陽光モジュールストリングス１１の出力電圧を検出し、第２電圧検出手段５２は、第２太陽光モジュールストリングス１２の出力電圧を検出する。
第１蓄電容量検出手段６１は、第１蓄電池アレイ２１の蓄電容量を検出し、第２蓄電容量検出手段６２は、第２蓄電池アレイ２２の蓄電容量を検出する。【００２０】
図１に示すように、日中の日射条件が良好な状態では、制御手段４０は、第２蓄電容量検出手段６２によって第２蓄電池アレイ２２が所定容量未満であることを検出し、第１電圧検出手段５１によって第１太陽光モジュールストリングス１１が所定電圧以上の電圧を検出している間は、第１太陽光モジュールストリングス１１をパワーコンディショナ３０に接続し、第２太陽光モジュールストリングス１２を第２蓄電池アレイ２２に接続する。
従って、日射条件が良好な日中に電力を供給しながら蓄電を行うことができる。【００２１】
図２は、図１に示す状態において、日中の日射変動が大きくなり、又は日射不良な状態を示すブロック図である。ここで日射変動が大きくなるとは、例えば晴れてはいるが、断続的に曇り又は降雨の状態が発生する場合であり、日射不良とは継続的な曇り又は降雨の状態である。【００２２】
図２に示すように、日中の日射変動が大きい状態又は日射不良の状態では、制御手段４０は、第１蓄電容量検出手段６１によって第１蓄電池アレイ２１が所定容量以上であることを検出し、第１電圧検出手段５１によって所定時間内に所定電圧未満の電圧を所定回数検出した場合には、第１太陽光モジュールストリングス１１をパワーコンディショナ３０から切断し、第１蓄電池アレイ２１をパワーコンディショナ３０に接続する。
従って、日射変動が大きいか又は日射不良な日中では、蓄電を利用して電力を供給することで、電圧変動の無い安定した電力を供給することができる。【００２３】
図３は、図２に示す状態が更に継続して第１蓄電池アレイが放電してしまった状態を示すブロック図である。
日中の日射変動が大きい状態又は日射不良の状態が継続することで、第１蓄電池アレイ２１が放電してしまった状態、すなわち、第１電圧検出手段５１によって所定時間内に所定電圧未満の電圧を所定回数検出する状態が継続しており、第１蓄電容量検出手段６１によって第１蓄電池アレイ２１が所定容量未満であり、第２蓄電容量検出手段６２によって第２蓄電池アレイ２２が所定容量以上であることを検出した場合には、図３に示すように、制御手段４０は、第２太陽光モジュールストリングス１２を第２蓄電池アレイ２２から切断し、第１蓄電池アレイ２１をパワーコンディショナ３０から切断し、第２蓄電池アレイ２２をパワーコンディショナ３０に接続する。
従って、日射変動が長時間継続する場合であっても、蓄電を利用して電力を供給することで、電圧変動の無い安定した電力を供給できる。
また、第１蓄電容量検出手段６１によって第１蓄電池アレイ２１が所定容量未満であり、第２蓄電容量検出手段６２によって第２蓄電池アレイ２２が所定容量以上であることを検出した場合には、図３に示すように、制御手段４０は、第１太陽光モジュールストリングス１１を第１蓄電池アレイ２１に接続する。
従って、日射変動が大きな日中であっても、蓄電に利用することで、発電を有効に利用できる。【００２４】
図４は、図３に示す状態が更に継続して第１蓄電池アレイ及び第２蓄電池アレイが放電してしまった状態を示すブロック図である。
日中の日射変動が大きい状態又は日射不良の状態が更に継続することで、第１蓄電池アレイ２１及び第２蓄電池アレイ２２が放電してしまった状態、すなわち、第１電圧検出手段５１又は第２電圧検出手段５２によって所定時間内に所定電圧未満の電圧を所定回数検出する状態が継続しており、第１蓄電容量検出手段６１及び第２蓄電容量検出手段６２によって第１蓄電池アレイ２１及び第２蓄電池アレイ２２が所定容量未満であることを検出した場合には、図４に示すように、制御手段４０は、第２蓄電池アレイ２２をパワーコンディショナ３０から切断し、第１太陽光モジュールストリングス１１及び第２太陽光モジュールストリングス１２をパワーコンディショナ３０に接続する。
従って、日射変動が長時間継続して蓄電による安定した電力が供給できない場合であっても、第１太陽光モジュールストリングス１１及び第２太陽光モジュールストリングス１２をパワーコンディショナ３０に接続することで、電力供給を継続できる。【００２５】
図５は、図４に示す状態において、日射条件が良好な状態に戻った場合を示すブロック図である。
第１蓄電容量検出手段６１及び第２蓄電容量検出手段６２によって第１蓄電池アレイ２１及び第２蓄電池アレイ２２が所定容量未満であることを検出し、第１電圧検出手段５１又は第２電圧検出手段５２によって所定電圧以上の電圧を検出している間は、制御手段４０は、第１太陽光モジュールストリングス１１を第１蓄電池アレイ２１に接続し、第２太陽光モジュールストリングス１２をパワーコンディショナ３０に接続する。
従って、日射条件が良好な日中に電力を供給しながら蓄電を行うことができる。【００２６】
図５に示す状態において、日射条件が良好な状態が継続し第１蓄電池アレイ２１が充電を完了した場合には図１に示す状態となる。
すなわち、第１蓄電容量検出手段６１によって第１蓄電池アレイ２１が所定容量以上であり、第２蓄電容量検出手段６２によって第２蓄電池アレイ２２が所定容量未満であることを検出し、第１電圧検出手段５１又は第２電圧検出手段５２によって所定電圧以上の電圧を検出している間は、制御手段４０は、第１太陽光モジュールストリングス１１をパワーコンディショナ３０に接続し、第２太陽光モジュールストリングス１２を第２蓄電池アレイ２２に接続する。
従って、日射条件が良好な日中に電力を供給しながら蓄電を行うことができる。【００２７】
図６は、夜間における電力供給を示すブロック図である。
制御手段４０は、第１蓄電池アレイ２１又は第２蓄電池アレイ２２からパワーコンディショナ３０に接続する放電開始時刻を設定するタイマー手段４１を備えている。
制御手段４０では、タイマー手段４１で設定した放電開始時刻になり、第１蓄電容量検出手段６１又は第２蓄電容量検出手段６２によって第１蓄電池アレイ２１又は第２蓄電池アレイ２２が所定容量以上であることを検出した場合には、第１蓄電池アレイ２１及び第２蓄電池アレイ２２をパワーコンディショナ３０に接続する。
従って、発電が行えない夜間の時間帯をタイマーで指定して蓄電された電力を供給することができる。【００２８】
図７は本実施例による太陽光発電設備の制御を示すフローチャートである。
本実施例による太陽光発電設備は、第１電圧検出手段５１又は第２電圧検出手段５２によって、第１太陽光モジュールストリングス１１又は第２太陽光モジュールストリングス１２の出力電圧を検出している（Ｓ１）。
また、本実施例による太陽光発電設備は、第１蓄電容量検出手段６１及び第２蓄電容量検出手段６２によって第１蓄電池アレイ２１及び第２蓄電池アレイ２２の蓄電容量を検出している（Ｓ２）。【００２９】
Ｓ３において、第１太陽光モジュールストリングス１１又は第２太陽光モジュールストリングス１２が所定時間継続して所定電圧を出力していると判断され、第１蓄電池アレイ２１が充電を完了し（Ｓ４）、第２蓄電池アレイ２２が充電を完了している（Ｓ５）と判断された場合には、第１太陽光モジュールストリングス１１をパワーコンディショナ３０に接続する（Ｓ６）。この場合には、第２太陽光モジュールストリングス１２は未接続状態とする（Ｓ７）。【００３０】
Ｓ５において、第２蓄電池アレイ２２が充電を完了していないと判断された場合には、第１太陽光モジュールストリングス１１をパワーコンディショナ３０に接続し（Ｓ８）、第２太陽光モジュールストリングス１２を第２蓄電池アレイ２２に接続する（Ｓ９）。【００３１】
Ｓ４において、第１蓄電池アレイ２１が充電を完了していないと判断された場合には、第１太陽光モジュールストリングス１１を第１蓄電池アレイ２１に接続し（Ｓ１０）、第２太陽光モジュールストリングス１２をパワーコンディショナ３０に接続する（Ｓ１１）。【００３２】
Ｓ３において、第１太陽光モジュールストリングス１１又は第２太陽光モジュールストリングス１２が所定時間継続して所定電圧を出力していないと判断され、Ｓ１２において、第１蓄電池アレイ２１が充電を完了していると判断された場合には、第１蓄電池アレイ２１をパワーコンディショナ３０に接続する（Ｓ１３）。【００３３】
Ｓ１２において、第１蓄電池アレイ２１が充電を完了していると判断され、Ｓ１４において、第２蓄電池アレイ２２が充電を完了していると判断された場合には、第１太陽光モジュールストリングス１１は未接続状態とする（Ｓ１５）。【００３４】
Ｓ１２において、第１蓄電池アレイ２１が充電を完了していると判断され、Ｓ１４において、第２蓄電池アレイ２２が充電を完了していないと判断された場合には、第２太陽光モジュールストリングス１２を第２蓄電池アレイ２２に接続する（Ｓ１６）。【００３５】
Ｓ１２において、第１蓄電池アレイ２１が充電を完了していないと判断され、Ｓ１７において、第２蓄電池アレイ２２が充電を完了していると判断された場合には、第２蓄電池アレイ２２をパワーコンディショナ３０に接続し（Ｓ１８）、第１太陽光モジュールストリングス１１を第１蓄電池アレイ２１に接続する（Ｓ１９）。【００３６】
Ｓ１２において、第１蓄電池アレイ２１が充電を完了していないと判断され、Ｓ１７において、第２蓄電池アレイ２２が充電を完了していないと判断された場合には、第１太陽光モジュールストリングス１１をパワーコンディショナ３０に接続し（Ｓ２０）、第２太陽光モジュールストリングス１２をパワーコンディショナ３０に接続する（Ｓ２１）。【００３７】
なお、第１太陽光モジュールストリングス１１及び第２太陽光モジュールストリングス１２の最大出力は、それぞれパワーコンディショナ３０の最大定格出力の２０％以上５０％以下とする。【００３８】
本実施例では、電圧検出手段５０として第１電圧検出手段５１と第２電圧検出手段５２とを備えた場合で説明したが、１つの電圧検出手段５０でいずれかの太陽光モジュールストリングス１０の出力電圧を検出してもよい。
また、蓄電容量検出手段６０として第１蓄電容量検出手段６１と第２蓄電容量検出手段６２とを備えた場合で説明したが、１つの蓄電容量検出手段６０で第１蓄電池アレイ２１と第２蓄電池アレイ２２との蓄電容量を検出してもよい。
本発明の太陽光発電設備は、第１太陽光モジュールストリングス１１を備えた既設の太陽光発電設備を利用でき、第２太陽光モジュールストリングス１２、第１蓄電池アレイ２１、及び第２蓄電池アレイ２２を増設し、パワーコンディショナ３０を交換することで実現することができる。
【産業上の利用可能性】
【００３９】
本発明によれば、日中における電力供給の平衡化を図れ、余剰電力の売電が可能となり、蓄電池導入のコスト回収が可能となる。
【符号の説明】
【００４０】
１０  太陽光モジュールストリングス
１１  第１太陽光モジュールストリングス
１２  第２太陽光モジュールストリングス
２０  蓄電池アレイ
２１  第１蓄電池アレイ
２２  第２蓄電池アレイ
３０  パワーコンディショナ
４０  制御手段
４１  タイマー手段
５０  電圧検出手段
５１  第１電圧検出手段
５２  第２電圧検出手段
６０  蓄電容量検出手段
６１  第１蓄電容量検出手段
６２  第２蓄電容量検出手段
７０  電力系統
【図１】
0006593855.tif 000002
【図２】
0006593855.tif 000003
【図３】
0006593855.tif 000004
【図４】
0006593855.tif 000005
【図５】
0006593855.tif 000006
【図６】
0006593855.tif 000007
【図７】
0006593855.tif 000008